(57)【要約】      （修正有）【課題】ＬＥＤ照明灯を各種基体に設置する場合、同一基体内に非常時を周囲に知らせる小型防犯ブザーを併せて内蔵させ、非常時の発生を周囲に告知し、より信頼性の高い、安心・安全を確保できる社会性に優れた防犯・防災グッズとするための固定装置を提供する。【解決手段】ＬＥＤ照明灯２を設置した、ぬいぐるみ、マスコット、ハンドバッグ、袋物、帽子、ポセット、ポーチ、リュックサック、ランドセル、ブローチ、キーホルダー、ベルト、ストラップ、リストベルト、ヘアーバンド被服等々の同一基体１において、小型防犯ブザーを内蔵させ非常時の際に鳴動スイッチに直結した吊り下げ紐６を操作し、ブザー音を周囲に発信し、非常事態からの救難を実現させ、同一基体１の背面、側面等の任意部位から電池交換も容易にできる。【選択図】図１
0003197947.tif 000002
【実用新案登録請求の範囲】
【請求項１】
ＬＥＤ照明灯をぬいぐるみ、マスコット、ハンドバッグ、袋物、ポーチ、ポセット、リュックサック、ランドセル、キーホルダー、ベルト、ストラップ、リストバンド、ヘアーバンド、被服等の各種基体に固着させ、同一基体に内蔵した小型防犯ブザーに直結した鳴動スイッチを作動させる吊り下げ紐又はチェーンを併せて設置し、社会の安心・安全を確保しやすくし、非常時の心強い防犯・防災グッズの役割を提案し、同一基体の背面等の任意の部位に切り裂きとその開閉を自在にできるジッパー又はファスナー等を設置し、ＬＥＤライト及び小型防犯ブザーの電池交換も容易にできる固定装置。
【請求項２】
各種基体に内蔵した防犯ブザーに直結された鳴動スイッチを作動させる吊り下げ紐又はチェーンにチャーム又はタグ類を敷設し、そのチャーム又はタグに所有者の名前等のＩＤ情報を刻印等で記載し、不幸にも非常時に遭遇した場合に周囲の関係者に所有者のＩＤ情報を開示でき、救難、介護等々の社会的活動に資し、又盗難、置き忘れ等の防止に資す〔請求項１〕の固定装置
【考案の詳細な説明】
【技術分野】
【０００１】この考案は、ハンドバッグ、鞄、袋物、帽子、ぬいぐるみ、マスコット、キーホルダー、ベルト、ストラップ、リストバンド、ヘアーバンド、被服等の基体の表面又は裏面にＬＥＤライトの収納容器を設置する技術（特許文献１）を改良し、同一基体内部に小型防犯ザーを設置し、非常事態に遭遇した際に周囲に告知し、非常事態からの救難、介護等に貢献し、小型防犯ブザーの電池交換も平易にでき、社会の安心・安全の確保に貢献できる技術に関する。
【先行技術文献】
【特許文献】
【０００２】
【特許文献１】実用新案登録第３１９３６４１号
【考案の概要】
【考案が解決しようとする課題】
【０００３】１）ぬいぐるみ、マスコット、バッグ、バンド、ストラップ、キーホルダー等々の基体にＬＥＤライトを設置し、停電時、又は夜間の活動時に便利な照明灯の役割を実現する技術（特許文献１）はあるが、夜間の帰宅時、帰校時、又は帰塾時等々に同一基体内部に非常時のための小型防犯ブザーを併設した形態で携帯又は帯同でき、社会の安心・安全の向上確保に貢献できる課題
２）又、一般的な携帯型小型防犯ブザーを落下させてしまった場合、機能の破損が予測されるが、ぬいぐるみ、マスコット、バッグ、バンド、ストラップ、キーホルダー等々のクッション性豊かな同一基体に内設することにより落下に際して惹起される外部からの衝撃を吸収し、機能の破損を保護する課題
３）更に、基体内部に設置された非常時用の小型防犯ブザーの電池交換を容易にするために同一基体の背面等の任意の部位を切り裂き加工及びジッパー等で開閉できる装置を施し、自在に電池交換を容易にする課題
４）非常時に遭遇した場合、小型防犯ブザーの鳴動スイッチに直結した吊り下げ紐又はチェーンの先端に付けられたチャーム又はタグに所有者のＩＤ情報を記載し、非常時にＩＤ情報を開示し、救難、介護等々の社会的な活動に資する課題。
【課題を解決するための手段】
【０００４】本考案は、ＬＥＤライトをぬいぐるみ、マスコット、バッグ、ベルト、バンド、キーホルダー、等々の小さく薄い基体に装着する技術（特許文献１）に加えて、同一基体内部に非常時に鳴り響く小型防犯ブザーを併設し、緊急時の非常性を周囲に知らせる新しい技術の考案。【０００５】又、携帯型小型防犯ブザーが落下時に惹起する外的衝撃を吸収し、小型防犯ブザーの機能の破損を防ぐためにクッション性豊かな同一基体内部に小型防犯ブザーを内設する技術の考案【０００６】更に、ぬいぐるみ、マスコット、又はリュックサック等のバッグ類の基体の背面等を含む基体の任意の部位にジッパー等で開閉できる切り裂きを設置し、小型防犯ブザーの電池交換を容易にする技術の考案【０００７】基体内の小型防犯ブザーを鳴動させるために直結した吊り下げ紐又はチェーンの先端に設置したチャーム又はタグに所有者のＩＤ情報を記載し、非常時に遭遇した場合、そのＩＤ情報を開示し、救難、介護等々の社会活動に貢献できる技術の考案
【考案の効果】
【０００８】本考案は、同一基体にＬＥＤライトと小型防犯ブザーが併設されているぬいぐるみ、マスコット、リュックサック、ランドセル、バッグ類等々を常時携帯又は帯同することにより、夜間での外出時、帰校時、帰塾時、又は帰宅時で発生した非常事態を周囲に告知できる優れた防犯・防災グッズとしての役割を果たし、安心・安全の信頼感の確保を社会に幅広く醸成できる効果。【０００９】又ＬＥＤライトを設置したクッション性豊かなぬいぐるみ、マスコット又はリュックサック、ランドセル、バッグ類の同一基体内に小型防犯ブザーを内設することにより、落下時に惹起する外的衝撃を吸収し、小型防犯ブザーの破損リスクを回避できる効果。【００１０】更に、小型防犯ブザーを内設しているぬいぐるみ、マスコット、リュックサック、ランドセル、カバン類等の基体の背面等の任意部位に切り裂きと開閉自在なジッパー、又はファスナー等を設置し、電池交換を容易にできる効果。【００１１】基体内に内蔵している小型防犯ブザーの鳴動スイッチに直結した吊り下げ紐又はチェーンの先端に設置したチャーム又はタグに所有者のＩＤ情報を記載し、非常時に遭遇した場合、所有者のＩＤ情報が開示され、救難、介護等々の社会活動に貢献できる効果。
【産業上の利点】
【００１２】社会の安心・安全の確保に広く貢献するために、ＬＥＤライトを設置したぬいぐるみ、マスコット、リュックサック、ランドセル、カバン類を常時携帯又は帯同するのとは別に、非常時のために小型防犯ブザーを常時携帯又は帯同しなければならなかった消費者の二重負担及び経済的な２重負担の発生を抑制、軽減でき、同一基体内に併設できる社会経済的な新しい価値創造を事業化できる産業上の効果。
【００１３】この考案は、ＬＥＤライトを設置したぬいぐるみ、マスコット、リュックサック、ランドセル、バッグ類を製造し、一方で別個に携帯型小型防犯ブザーを製造していた二つの製造工程を一つの製造工程に圧縮、統一でき、製造上のコスト削減を実現し、製品単価の低廉化を実現し、利便性に優れた本発明品の普及、及び新市場の形成を可能とし、新産業として発展，振興できる産業上の効果
【図面の簡単な説明】
【００１４】
【図１】本考案のＬＥＤ照明灯及び小型防犯ブザーをハンドバッグ、リュックサック、ポセット、鞄、ポーチ、袋物、ぬいぐるみ、帽子、マスコット、キーホルダー、ストラップ、ベルト、リストバンド、ヘアーバンド、被服等々の同一基体に併設する一例として、マスコットの同一基体にＬＥＤ照明灯及び小型防犯ブザーを併設した状態を示す斜視像の立体図である。
【図２】本考案のＬＥＤ照明灯及びプッシュ式スイッチと、同一基体内に非常時用の小型防犯ブザーを内蔵した構造の立体正面図である。
【図３】本考案のＬＥＤ照明灯、プッシュ式スイッチとその収納容器、及び小型防犯ブザーを併設した同一基体の側面の断面図である。
【図４】本考案のＬＥＤ照明灯及び小型防犯ブザーを併設した同一基体の背面に施した切り裂きとその開閉用のジッパーにより電池交換を容易にするための基体の立体背面図である。
【考案を実施するための形態】
【００１５】本考案の実施の形態を図面に基づき説明する。図１乃至４図は本考案の実施の形態を示すものである。
【００１６】図１において、一例としてマスコットを同一基体１として、ＬＥＤ照明灯２とプッシュ式スイッチ３、及び内設された小型防犯ブザー５の吊り下げ紐又はチェーン６を併設した外観全体の立体斜視図である。
【００１７】図２における同一基体１に併設されたＬＥＤ照明灯２とプッシュ式スイッチ３及び非常時のための小型防犯ブザー５の鳴動スイッチを操作する吊り下げ紐又はチェーン６と、その先端にＩＤ情報を示すチャーム又はタグ９を設置した立体正面図である。
【００１８】図３は、ＬＥＤ照明灯２とプッシュ式スイッチ３及びその収容器４と小型防犯ブザー５を併設し、小型防犯ブザー５の鳴動スイッチを操作する吊り下げ紐６を設置した同一基体１の内部構造を示す断面図である
【００１９】図４は、基体１の背面に切り裂き７とその開閉のためのジッパー８を設置し、電池交換を自在に操作でき、内蔵する小型防犯ブザーの鳴動スイッチを操作する吊り下げ紐又はチェーン６を示した立体背面図である。
【符号の説明】
【００２０】１    基体
２    ＬＥＤ照明灯
３    プッシュ式スイッチ
４    ＬＥＤ照明灯とプッシュ式スイッチの収納容器
５    小型防犯ブザー
６    防犯ブザーの鳴動スイッチを操作する取り付け紐又はチェーン
７    電池交換用の切り裂き
８    切り裂きの開閉用ジッパー又はハスナー
９    吊り下げ紐に付着したチャーム又はタグ
【図１】
0003197947.tif 000003
【図２】
0003197947.tif 000004
【図３】
0003197947.tif 000005
【図４】
0003197947.tif 000006